(57)【要約】【課題】吹出口から吹き出される除湿後の風の流速及び吹き出し範囲を、装置の使用状況に応じて最適に可変できる除湿機を提供すること。【解決手段】除湿後吹出口（１６）から吹き出す風の向きを変更する風向変更機構（５０）をを、吹出口（１６）に回動可能に取り付けられた主ルーバー（３０）と、その主ルーバー（３０）に対して相対的に角度変更可能に取り付けられた従ルーバー（４０）とにより構成したことを特徴とする。【選択図】    図１
2004316935.tif 000002
【特許請求の範囲】
【請求項１】
除湿後吹出口から吹き出す風の向きを変更する風向変更機構を備えた除湿機において、
前記風向変更機構を、前記吹出口に回動可能に取り付けられた主ルーバーと、その主ルーバーに対して相対的に角度変更可能に取り付けられた従ルーバーとにより構成したことを特徴とする除湿機。
【請求項２】
前記従ルーバーの前記主ルーバーに対する相対的な角度を検出し、その検出角度に応じて前記主ルーバーの回動角度範囲を可変する回動制御手段を備えたことを特徴とする請求項１に記載の除湿機。
【請求項３】
前記従ルーバーの前記主ルーバーに対する相対的な角度の検出は、前記従ルーバーの前記主ルーバーに対する相対的な角度に応じて抵抗値が変化する可変抵抗器の抵抗値の変化の検出により行うことを特徴とする請求項２に記載の除湿機。
【請求項４】
前記回動制御手段は、前記従ルーバーの前記主ルーバーに対する相対的な角度が狭ければ、前記主ルーバーの回動角度範囲を狭く、前記従ルーバーの前記主ルーバーに対する相対的な角度が広ければ、前記回動軸の回動角度範囲を広くする制御を行うことを特徴とする請求項２または３のいずれかに記載の除湿機。
【請求項５】
前記従ルーバーの前記主ルーバーに対する相対的な角度を所定の角度間隔で複数段階に調節可能な構成としたことを特徴とする請求項１、２、３または４のいずれかに記載の除湿機。
【請求項６】
前記従ルーバーの前記主ルーバーに対する相対的な角度の調節範囲を所定の角度範囲に規制する構成としたことを特徴とする請求項１、２、３、４または５のいずれかに記載の除湿機。
【発明の詳細な説明】
【０００１】
【発明の属する技術分野】
本発明は、除湿機に関し、特に、除湿後吹出口から吹き出す風の向きを変更する風向変更機構を備えた除湿機に関する。
【０００２】
【従来の技術】
従来の除湿機は、例えば参考文献１に見られるように、吹出口内に風向変更機構としてルーバーを配置して、除湿後の風の向きを変更して吹き出すようにしている。
【０００３】
【特許文献１】
特開２００２−２６７２０３号公報
【０００４】
【発明が解決しようとする課題】
しかし、その参考文献１にも見られるように、従来の除湿機において吹出口に配置される風向変更機構は１枚のルーバーのみで構成されるか、２枚のルーバーを並列配置して構成される場合でも、互いのルーバーのなす角度が固定のため、除湿後の風の向きの変更はできても、除湿後の風の流速（勢い）を可変することはできなかった。
【０００５】
そのため、前記吹出口から除湿後の風を穏やかに広範囲に吹き出して部屋全体に除湿後の風を行き渡らせたり、前記吹出口から除湿後の風を勢いよく狭い範囲に吹き出して洗濯物等に集中的に当てて乾燥を早めたりする等の、状況に応じて変化する除湿機の使用目的に応じた最適な流速（勢い）や角度範囲で除湿後の風の吹き出しを行えないという問題点があった。
【０００６】
本発明はかかる事情に鑑みてなされたものであり、吹出口から吹き出される除湿後の風の流速及び吹き出し範囲を、装置の使用状況に応じて最適に可変できる除湿機を提供することを目的とする。
【０００７】
【課題を解決するための手段】
請求項１に記載の除湿機は、除湿後吹出口から吹き出す風の向きを変更する風向変更機構を備えた除湿機において、前記風向変更機構を、前記吹出口に回動可能に取り付けられた主ルーバーと、その主ルーバーに対して相対的に角度変更可能に取り付けられた従ルーバーとにより構成したことを特徴とする。
【０００８】
請求項２に記載の除湿機は、請求項１に記載の除湿機において、前記従ルーバーの前記主ルーバーに対する相対的な角度を検出し、その検出角度に応じて前記主ルーバーの回動角度範囲を可変する回動制御手段を備えたことを特徴とする。
【０００９】
請求項３に記載の除湿機は、請求項２に記載の除湿機において、前記従ルーバーの前記主ルーバーに対する相対的な角度の検出は、前記従ルーバーの前記主ルーバーに対する相対的な角度に応じて抵抗値が変化する可変抵抗器の抵抗値の変化の検出により行うことを特徴とする。
【００１０】
請求項４に記載の除湿機は、請求項２または３のいずれかに記載の除湿機において、前記回動制御手段は、前記従ルーバーの前記主ルーバーに対する相対的な角度が狭ければ、前記主ルーバーの回動角度範囲を狭く、前記従ルーバーの前記主ルーバーに対する相対的な角度が広ければ、前記回動軸の回動角度範囲を広くする制御を行うことを特徴とする。
【００１１】
請求項５に記載の除湿機は、請求項１、２、３または４のいずれかに記載の除湿機において、前記従ルーバーの前記主ルーバーに対する相対的な角度を所定の角度間隔で複数段階に調節可能な構成としたことを特徴とする。
【００１２】
請求項６に記載の除湿機は、請求項１、２、３、４または５のいずれかに記載の除湿機において、前記従ルーバーの前記主ルーバーに対する相対的な角度の調節範囲を所定の角度範囲に規制する構成としたことを特徴とする。
【００１３】
【発明の実施の形態】
以下、図１ないし図９の添付図面を参照しながら、本発明の実施の形態を詳細に説明する。
【００１４】
先ず、本実施の形態に係る除湿機の全体構成について図１及び図２を参照して説明する。なお、図１は、本実施の形態に係る除湿機の側断面図であり、図２は平面図である。
【００１５】
それらの図において、本発明の実施の形態に係る除湿機は、縦長な箱形状の本体ケース１内の上部後側の吸気空間３，上部前側の送風空間１１、及び、下部空間７との３つの空間に大きく分けられる。
【００１６】
吸気空間３と送風空間１１との間には、フィルタ４、蒸発器５、凝縮器６、モータ１２、及び、そのモータ１２の回転軸に取り付けられたファン１３とが、並列配置されている。なお、モータ１２とファン１３とは送風機１４を構成する。
【００１７】
送風空間１１は、渦巻き形状のファンケーシング１０に囲まれた空間を含み、その空間内で、送風機１４が回転駆動することにより、吸気空間３の最上部の吸気口２から室内の空気が吸気され、フィルタ４により除塵され、フィルタ４の裏面に多数穿設された通気孔１７を通って蒸発器５に至る。
【００１８】
蒸発器５は、下部空間７に配置された圧縮機９の駆動により冷却されていて、その隙間を通る気流中の水蒸気を液化・除去する。なお、その液化された水分は、下部空間７に配置されたドレイン水タンク８に溜まる。
【００１９】
蒸発器５を通過して、除湿・低温下された気流は、圧縮機９の駆動により高温化されている凝縮器６の隙間を通ることで再熱され、除湿された気流となって、ファン１３の裏側に多数穿設されたスリット１５を介して送風空間１１に至る。
【００２０】
その送風空間１１に至った気流は、ファンケーシング１０内で回転駆動される送風機１４により、送風空間１１の最上部に設けられた装置の幅方向に細長い吹出口１６から吹き出される。なお、図２に示すように、吹出口１６と吸気口２とは、ハンドル１８をはさんで本体ケース１の上面に配置される。
【００２１】
その吹出口１６内には、風向変更機構５０が配置される。その風向変更機構５０は、回動軸６０を支点として、回動軸６０と一体に回動する、幅の広いほうの主ルーバー３０と、主ルーバー３０に対して相対的に角度変更可能に取り付けられて、主ルーバー３０と一体に回動する従ルーバー４０とにより構成される。なお、回動軸６０は、後述する図３に示す複合的な軸構造を概念的に示す仮想的な軸である。
【００２２】
なお、主ルーバー３０は、所定の回動位置において吹出口１６を塞ぐ蓋の機能もかねていて、図１及び図２においては主ルーバー３０が吹出口１６を塞いでいる状態にある。
【００２３】
風向変更機構５０の詳細構成について、図３の断面図を参照して説明する。
【００２４】
同図において、本体ケース１の吹出口１６両側面のうちの、一方の側面に軸受け１ａが設けられる一方、対向する他方の側面にステッピングモータ７１が固定されていて、そのモータ軸７０ａと、軸受け１ａを結ぶ仮想的な回動軸６０を支点として、主ルーバー３０及び従ルーバー４０が一体的に回動可能に取り付けられている。
【００２５】
具体的には、装置本体の幅方向に長い主ルーバー３０の両側面に設けられた側板３１及び３２のうち、３１側には、軸部３１ａが外側に設けられていて、その軸部３１ａは、軸受け１ａに回動自在に軸支される。なお、軸部３１ａには、軸穴３１ｂが同軸的に形成されている。
【００２６】
一方、側板３２側には、軸部３２ａが外側に設けられていて、その軸部３２ａには、軸穴３２ｂが同軸的に形成されている。その軸穴３２ｂには、本体ケース１に固定されたステッピングモータ７０のモータ軸７０ａが挿通されると共に、そのモータ軸７０ａは、軸穴３２ｂと固着されていて、主ルーバー３０は、ステッピングモータ７０の回動駆動に応じて仮想的な回動軸６０を支点として回動するようになっている。
【００２７】
なお、主ルーバー３０の側板３１及び３２には、弧状溝３１ｃ及び３２ｃが、左右対称の位置に穿設されている。弧状溝３１ｃ及び３２ｃの詳細については後述する。
【００２８】
従ルーバー４０については、装置本体の幅方向に長い従ルーバー４０本体の両端に設けられた側板４１及び４２のうち、４１側には、軸穴４１ａが穿設されていて、その軸穴４１ａには回転式の可変抵抗器８０の調整軸８０ａが挿通されると共に、可変抵抗器８０の本体は、側板４１の内側に固着されている一方、調整軸８０ａが軸穴３１ｂに挿通固着される。一方、側板４２側には、軸部４２ａが外側に設けられていて、その軸部４２ａが、軸穴３２ｂのモータ軸９２ａとは反対側に回動自在に挿通されている。
【００２９】
それにより、従ルーバー４０は、主ルーバー３０に対して相対的に回動可能に軸支されることになる。また、従ルーバー４０の主ルーバー３０に対する相対的に回動に伴って、可変抵抗器８０内の円弧状の抵抗体と接点とが摺動して、その抵抗値が、従ルーバー４０の主ルーバー３０に対する相対的な回動の角度に比例して変化することになる。可変抵抗器８０と後述する、装置本体側に配置される回動制御手段１００とは、電気配線により接続され、その回動制御手段１００が可変抵抗器８０の抵抗値の変化を参照できるようになっている。
【００３０】
なお、側板４１及び４２には、弧状溝３１ｃ及び３２ｃとそれぞれ係合する、半球形状の突起４１ｂ及び４２ｂがそれぞれ設けられている。突起４１ｂ及び４２ｂの詳細については後述する。
【００３１】
図４は、図３におけるＡ−Ａ線矢視断面図で、主ルーバー３０が吹出口１６を完全に塞ぐ回動位置に位置にある場合を示している。
【００３２】
図５は、同じく、図３におけるＡ−Ａ線矢視断面図で、主ルーバー３０が、図４の吹出口１６を完全に塞ぐ回動位置から、反時計回りに１８０°回転した位置にある場合を示している。
【００３３】
風向変更機構５０が動作中には、主ルーバー３０が、図４の吹出口１６を完全に塞ぐ回動位置から、反時計回りに約９０°回転した位置を基準角度位置として、その基準角度位置を中心として、例えば左右６０°ずつ合計１２０°の角度範囲で回動して、吹き出す除湿後の風の向きを変更する。
【００３４】
従ルーバー４０の主ルーバー３０に対する相対的な角度の調節について、図６（ａ）ないし（ｄ）を参照して説明する。なお、図６（ａ）ないし（ｄ）は、図３におけるＡ−Ａ線矢視断面図である。
【００３５】
それらの図に示すように、主ルーバー３０の側板３１に形成された弧状溝３１ｃは、回動軸６０を原点とした６０°の角度範囲で一定幅の弧状に形成されている。ただし、６０°の角度範囲内において、２０°の一定角度間隔で４カ所に、弧状溝３１ｃのそれ以外の部分の幅よりも直径の大きな互いに同一径の円形の係合穴３１ｃａ、３１ｃｂ、３１ｃｃ、及び、３１ｃｄを形成している。
【００３６】
係合穴３１ｃａの位置を０°の角度位置とすると、係合穴３１ｃｂの角度位置は２０°、係合穴３１ｃｃの角度位置は４０°、そして、係合穴３１ｃｄの角度位置は６０°となる。
【００３７】
一方、従ルーバー４０の側板４１に設けられた半球形状の突起４１ｂは、側板４１に切り抜き形成された支持アーム４１ｂの先端に形成されている。その突起４１ｂは、仮想的な回動軸６０を原点として弧状溝４１ｃと同半径の位置に形成されていると共に、各係合穴３１ｃａ、３１ｃｂ、３１ｃｃ、及び、３１ｃｄの直径よりも直径が大きい。
【００３８】
図６（ａ）は、従ルーバー４０が主ルーバー３０に対して０°の角度位置にある場合、つまり、係合穴３１ｃａと、突起４１ｂとが係合している場合を示している。この図６（ａ）の場合が、主ルーバー３０と従ルーバー４０の相対的な角度が一番小さい（−３０°）、つまり、除湿後の風を一番勢いよく吹き出せる状態になっている。
【００３９】
図６（ａ）の状態にある、従ルーバー４０及び主ルーバー３０を、回動軸６０を支点として回動させるようにして手で押し開くと、支持アーム４１ｃが撓んで係合孔３１ｃａと突起４１ｂとの係合が解かれ、突起４１ｂが弧状溝３１ｃをなぞりつつ、従ルーバー４０が主ルーバー３０に対して相対的に回動する。その回動角度が２０°になると弧状溝３１ｃにおいて、係合孔３１ｃａの隣に形成された係合孔３１ｃｂと、突起４１ｂとが係合する、図６（ｂ）の状態となる。その際、撓んでいた支持アーム４１ｃの撓みが戻り、ユーザは手にクリック感を感じる。そのように、従ルーバー４０の主ルーバー３０に対する相対的な角度を所定の角度間隔（本実施の形態では２０°）で複数段階（本実施の形態では４段階）に調節可能な構成としたことにより、角度調節の操作を感覚的に分かりやすくすることができるようになる。
【００４０】
図６（ｂ）の状態では、図６（ａ）の状態に対して２０°だけ、従ルーバー３０の主ルーバー４０に対する相対的な角度が広がるため（−１０°）、その分従ルーバー３０と主ルーバー４０との間を通過して吹き出される除湿後の風の勢いは弱まる。
【００４１】
従ルーバー４０及び主ルーバー３０を手で更に押し開くと、更に２０°だけ回動して図６（ｃ）の状態となり、従ルーバー４０の主ルーバー３０に対する相対的な角度は＋１０°となり、更に押し開くと図６（ｄ）の状態となって、従ルーバー４０の主ルーバー３０に対する相対的な角度は＋３０°となり、それ以上押し開こうとすると、弧状溝３１ｃの端を突起４１ｂが越えて回動させるためには、支持アーム４１ｃを大きく撓ませる必要があるため、その位置でユーザは角度調整範囲の限界に達したと感じる。
【００４２】
図６（ｄ）の状態から従ルーバー４０及び主ルーバー３０を回動軸６０を支点として回動させるようにして手で押し閉じると、２０°ずつクリック感を感じながら、図６（ａ）の角度調整範囲の限界まで達する。
【００４３】
図６（ａ）の、突起４１ｂが係合孔３１ｃａの位置にある、従ルーバー４０の主ルーバー３０に対する相対的な角度が０°の状態から、図６（ｂ）の２０°の状態、図６（ｃ）の４０°の状態、図６（ｄ）の６０°の状態の順で、主ルーバー３０と従ルーバー４０とがなす角度が広くなる（吹き出される除湿後の風の勢いが弱くなるがその分吹き出される範囲は広くなる）。
【００４４】
ユーザは、除湿機を洗濯物の乾燥等の目的で使う場合、つまり、吹出口１６から吹き出される除湿後の風の勢いを増したい場合には、図６（ａ）の０°の状態にすればよく、部屋全体に穏やかに除湿後の風を行き渡らせたい場合には、図６（ｄ）の６０°の状態にすればよい。図６（ｂ）の２０°の状態や図６（ｃ）の４０°の状態も状況に応じて利用できる。
【００４５】
従ルーバー４０の主ルーバー３０に対する相対的な角度位置の調節範囲は、弧状溝３１ｃを６０°の範囲に限定して形成することで、６０°に規制されるため、従ルーバー４０の主ルーバー３０に対する相対的な角度が実用の範囲を超えて狭くなりすぎたり、広くなりすぎたりすることを防止でき、従ルーバー４０の主ルーバー３０に対する相対的な角度を最適に調節することができる。
【００４６】
なお、図３に示したように、側板３２及び４２側にも、図６に示した側板３１及び４１側と同様の弧状溝３２ｃ及び突起４２ｂがそれぞれ形成されいるため、従ルーバー４０の主ルーバー３０に対する相対的な角度位置を調整する際に、左右バランスよくクリック感のある調節を行える。
【００４７】
本実施の形態に係る除湿機は、主ルーバー３０と、その主ルーバー３０に対して相対的に角度調節可能に取り付けた従ルーバー４０とを、ステッピングモータ７０の回動駆動により、回動自在に構成しているが、仮に、ステッピングモータ７０による回動駆動を行わず、主ルーバー３０を装置本体に対して単に回動可能に取り付けられた状態にして手動で主ルーバー３０の回動角度を調節するようにしても、従ルーバー４０の主ルーバー３０に対する相対的な角度調節が可能であれりさえすれば、使用目的に応じて除湿後の風の勢いを調節できるので利便性が高い。また、主ルーバー３０及び従ルーバー４０を吹出口１６内において、例えば固定の１２０°の角度範囲で回動駆動させるようにしても、その角度範囲に吹き出される除湿後気流の勢いを調節できるので利便性が高い。
【００４８】
しかし、本実施の形態では、ステッピングモータ７０の回動角度範囲を制御するこにより、主ルーバー３０及びその主ルーバー３０に対して相対的に角度調節可能な従ルーバー４０の回動角度範囲を変更可能とすることで、更に利便性を高めている。
【００４９】
つまり、図７に示す回動制御手段１００により、主ルーバー３０及び従ルーバー４０の回動角度範囲を制御する。
【００５０】
回動制御手段１００において、ＣＰＵ１０２は、ＲＯＭ（リードオンリメモリ）１０３に予め記憶された制御プログラムや制御に必要なデータに基づいて、ＲＡＭ（ランダムアクセスメモリ）１０４を作業領域として使用しながら、システムバス１０７を介して各部とデータのやりとりを行い、回動角度範囲の制御を行う。
【００５１】
つまり、ＣＰＵ１０２は、電圧Ｖ＿ｒｅｆが印加された可変抵抗器８０の分圧出力電圧Ｖ＿ｉｎの値をＡ／Ｄ変換器１０５を介して取得する一方、モータドライブ回路１０６を介してステッピングモータ７０の回動を制御する。
【００５２】
可変抵抗器８０は、図３に示したように、本体が従ルーバー４０の側板４１の内側に固定される一方、調整軸８０ａが、主ルーバー３０の側板３１の軸穴３１ｂに挿通固着されているため、図６において定義した、従ルーバー４０の主ルーバー３０に対する角度位置に応じて、分圧出力電圧Ｖ＿ｉｎは、図８に示すように変化する。
【００５３】
つまり、従ルーバー４０の主ルーバー３０に対する角度位置（ルーバー相対角度）が０°は電圧値Ｖ＿０に相当し、２０°が電圧値Ｖ＿２０に相当し、４０°が電圧値Ｖ＿４０に相当し、６０°が電圧値Ｖ＿６０に相当する。
【００５４】
そして回動制御手段１００は、図９に示す回動制御処理を行う。
【００５５】
図９において、先ず、ＣＰＵ１０２は、分圧出力電圧Ｖ＿ｉｎをＡ／Ｄ変換器１０５により測定し（処理Ｓ１０１）、その測定値Ｖ＿ｉｎがＶ＿０と等しいかを判断する（判断Ｓ１０２）。
【００５６】
測定値Ｖ＿ｉｎがＶ＿０と等しい場合、つまり、従ルーバー４０の主ルーバー３０に対する相対的な角度が、その間から吹き出される除湿後の風の勢いが一番強くなる−３０°（図６（ａ）参照）である場合には（判断Ｓ１０２のＹｅｓ）、狭い角度、例えば３０°の角度範囲でステッピングモータ７０を回動駆動させることにより、主ルーバー３０及び従ルーバー４０を３０°の回動角度範囲で回動させる（処理Ｓ１０３）。なお、測定値Ｖ＿ｉｎがＶ＿０と等しいか否かの判断では、、測定ノイズ等を考慮して、Ｖ＿ｉｎがＶ＿０を中心として一定範囲内にある場合に、測定値Ｖ＿ｉｎがＶ＿０と等しいと判断するようにしている。
【００５７】
測定値Ｖ＿ｉｎがＶ＿０と等しくない場合、つまり、従ルーバー４０の主ルーバー３０に対する相対的な角度が、その間から吹き出される除湿後の風の勢いが一番強くなる−３０°以外（図６（ａ）、（ｂ）及び（ｃ）参照）である場合には（判断Ｓ１０２のＮｏ）、広い角度、例えば１２０°の角度範囲でステッピングモータ７０を回動駆動させることにより、主ルーバー３０及び従ルーバー４０を１２０°の回動角度範囲で回動させる（処理Ｓ１０４）。
【００５８】
これにより、洗濯物の乾燥のために除湿後の風の勢いを増すように、従ルーバー４０の主ルーバー３０に対する相対的な角度がユーザにより狭く設定されたような場合には、その用途（洗濯物の乾燥）に最適な狭い回動範囲（洗濯物が掛けられた範囲）とされるため、洗濯物の乾燥を早めることができる。
【００５９】
なお、従ルーバー４０の主ルーバー３０に対する角度位置が、図６に示すように、０°、２０°、４０°、６０°と４段階で広くなるにしたがって、その回動角度範囲も例えば、３０°、６０°、９０°、１２０°と４段階で広くなるようにしてもよい。また、従ルーバー４０の主ルーバー３０に対する角度位置と、回動角度範囲との関係を比例関係に設定するのではなく、除湿機の使用状況に適合するように、それ以外の関係に設定してもよい。
【００６０】
また、本実施の形態では、従ルーバー４０の主ルーバー３０に対する相対的な角度を２０°間隔でクリック感を持たせて調節可能としているが、例えば弧状溝３１ｃに係合孔３１ｃａなどを設けずに全角度範囲に渡って一定幅とすると共に、突起４１ｂを半球形状ではなく、その一定幅とした弧状溝３１ｃの幅よりもやや直径の大きい円柱形状に形成してその一定幅の弧状溝３１ｃにより締め付けられるように挿通するなどして、従ルーバー４０の主ルーバー３０に対する相対的な角度を連続的に調節可能とすると共に、その連続的な角度の変化に応じて回動角度範囲も連続的に可変するようにしてもよい。
【００６１】
【発明の効果】
請求項１に係る発明によれば、前記風向変更機構を、吹出口に回動可能に取り付けられた主ルーバーと、その主ルーバーに対して相対的に角度変更可能に取り付けられた従ルーバーとにより構成したため、吹出口から所定の吹き出し範囲に吹き出される除湿後気流の流速（勢い）を、装置の実際の使用目的に応じて最適に可変することが可能となる効果が得られる。
【００６２】
請求項２に係る発明によれば、前記従ルーバーの前記主ルーバーに対する相対的な角度に応じて前記主ルーバー（及びその主ルーバーに対して所定の角度をなす従ルーバー）の回動角度範囲を可変するようにしたため、吹出口から吹き出される除湿後気流の流速及び吹き出し範囲を、装置の実際の使用目的に応じて最適に可変することが可能となる効果が得られる。
【００６３】
請求項３に係る発明によれば、前記従ルーバーの前記主ルーバーに対する相対的な角度の検出を可変抵抗器の抵抗値の変化により検出するようにしたため、角度検出を低コストで実現することが可能となる効果が得られる。
【００６４】
請求項４に係る発明によれば、前記従ルーバーの前記主ルーバーに対する相対的な角度がユーザにより狭く設定されている場合、つまり、洗濯物の乾燥等のために、前記吹出口から吹き出される除湿後の風が勢いよく吹き出されるように設定されている場合には、除湿後の風の吹き出し範囲を狭くして洗濯物等に集中的に当たるようにし、前記従ルーバーの前記主ルーバーに対する相対的な角度がユーザにより広く設定されている場合、つまり、部屋全体の除湿等のために、前記吹出口から吹き出される風が穏やかに吹き出されるように設定されている場合には、その風の吹き出し範囲を広くして部屋全体に行き渡るようにしたため、吹出口から吹き出される風の流速及び吹き出し範囲を、装置の実際の使用目的に応じて最適に可変することが可能となる効果が得られる。
【００６５】
請求項５に係る発明によれば、前記従ルーバーの前記主ルーバーに対する相対的な角度を所定の角度間隔、例えば２０°で複数段階に調節可能な構成としたため、角度調節の操作を感覚的に分かりやすくすることが可能となる効果が得られる。
【００６６】
請求項６に係る発明によれば、前記従ルーバーの前記主ルーバーに対する相対的な角度の調節範囲を所定の角度範囲、例えば６０°に規制する構成としたため、前記従ルーバーの前記主ルーバーに対する相対的な角度が実用の範囲を超えて狭くなりすぎたり、広くなりすぎたりすることを防止でき、前記従ルーバーの前記主ルーバーに対する相対的な角度を最適に調節することが可能となる効果が得られる。
【図面の簡単な説明】
【図１】本発明の実施の形態に係る除湿機の側断面図である。
【図２】本発明の実施の形態に係る除湿機の平面図である。
【図３】風向変更機構５０の詳細構成について示す断面図である。
【図４】主ルーバー３０が吹出口１６を完全に塞ぐ回動位置に位置にある場合の図３におけるＡ−Ａ線矢視断面図である。
【図５】主ルーバー３０が、図４の吹出口１６を完全に塞ぐ回動位置から、反時計回りに１８０°回転した位置にある場合の図３におけるＡ−Ａ線矢視断面図である。
【図６】従ルーバー４０の主ルーバー３０に対する相対的な角度の調節について説明するための図である。
【図７】回動制御手段１００のブロック構成について示す図である。
【図８】従ルーバー４０の主ルーバー３０に対する角度位置に応じた分圧出力電圧Ｖ＿ｉｎの変化について示す図である。
【図９】回動制御処理手順について示すフローチャートである。
【符号の説明】
１  本体ケース
１ａ  軸受け
２  吸気口
３  吸気空間
４  フィルタ
５  蒸発器
６  凝縮器
７  下部空間
８  ドレイン水タンク
９  圧縮機
１０  ファンケーシング
１１  送風空間
１２  モータ
１３  ファン
１４  送風機
１５  通風スリット
１６  吹出口
１７  通気孔
１８  ハンドル
３０  主ルーバー
３１  側板
３１ａ  軸部
３１ｂ  軸穴
３１ｃ  弧状溝
３２  側板
３２ａ  軸部
３２ｂ  軸穴
３２ｃ  弧状溝
４０  従ルーバー
４１  側板
４１ａ  軸穴
４１ｂ  突起
４２  側板
４２ａ  軸部
４２ｂ  突起
５０  風向変更機構
６０  仮想的な回動軸
７０  ステッピングモータ
７０ａ  モータ軸
８０  回転式可変抵抗器
８０ａ  調整軸
【図１】
2004316935.tif 000003
【図２】
2004316935.tif 000004
【図３】
2004316935.tif 000005
【図４】
2004316935.tif 000006
【図５】
2004316935.tif 000007
【図６】
2004316935.tif 000008
【図７】
2004316935.tif 000009
【図８】
2004316935.tif 000010
【図９】
2004316935.tif 000011